Podtech/llm-jp-corpus-v4-ja_patent huggingface dataset:
(57)【要約】      （修正有）【課題】凸凹な床面でも、汚れを均一に洗浄出来るパッド及びブラシ等洗浄用具を提供する。【解決手段】パット及びブラシ等の研磨部材２は突起部５に接着し、突起部５と土台１は柔軟性・弾力性のある素材を用いてつくる。突起部５と土台１を均一接地圧力を得るための中空密閉４構造とする。ゴム風船を膨らませた時の内部圧力が、内壁面全体均一であるように、洗浄用具を床面洗浄機器に装着し作業を行うとき、この洗浄用具は、機器の重さを受けて、土台１の中空密閉部４内の圧力が高まる。突起５と土台１は弾力性のある素材で作られているため、作業対象床面に凸部位や凹部位があっても、中空密閉部４内の圧力を均一に維持しようとする作用により、突起部５の伸縮を起こし、接地先端部８の床面接地圧は均等に作用するので、均一な洗浄を行うことが出来る。【選択図】図２
0003171285.tif 000002
【実用新案登録請求の範囲】
【請求項１】
パッド及びブラシ等、研磨部材の土台が中空密閉構造になっている洗浄用具。
【請求項２】
パッド及びブラシ等の研磨部材が突起状の土台の上に接着されており、その突起部が複数集積することで構成された洗浄用具。
【考案の詳細な説明】
【技術分野】
【０００１】本考案は、床面清掃における洗浄機器に装着して用いる洗浄用具に関するものである。
【背景技術】
【０００２】一般的に、床表面の状況は建築施工の影響で均一平坦には出来ておらず、微妙に凹凸のある曲面状態となっている。その床面を洗浄するための従来の方法は、通称パッド台と言われる金属・樹脂・集積木材等の硬い平らな素材を土台とした器具を用いて、洗浄機器へ研磨剤含有の圧縮繊維で作られた通称パッドと呼ばれる洗浄用具を装着し行うか、同じく硬く平らな土台に洗浄毛を植毛したブラシ状の用具を機器に装着し用いていた。パッド及びブラシは、共に洗剤や水と合わせて床面に擦り付けることで汚れを欠き出し、洗浄という目的を果たしていた。しかし、その平坦な土台構造のため、床面の凸部上部は洗えても凹部底部は十分に洗いきれないという状況があり、その結果床面に汚れの斑模様が残り、美観が悪くなるという問題点があった。
【考案の開示】
【考案が解決しようとする課題】
【０００３】本考案は、床表面の微妙な凸凹面をも汚れを残すことなく均一に洗浄出来るようにすることを目的とした。
【課題を解決するための手段】
【０００４】床面の凹部底面まで床面全体を均等に洗えるようにするため、洗浄用具のパッド及びブラシの研磨部材２先端が、床面の凸凹面に対応し均等な圧力で接しながら上下運動を可能にする構造・機能を作る。
伸縮運動を可能にするために、パット及びブラシ等の研磨部材２は突起部５に接着し、突起部５と土台１は柔軟性・弾力性のある素材を用いてつくる。突起部５と土台１を均一接地圧力を得るための中空密閉４構造とする。
【考案の効果】
【０００５】ゴム風船を膨らませた時の内部圧力が、内壁面全体均一であるように、本考案の洗浄用具を床面洗浄機器に装着し作業を行うとき、この洗浄用具は、機器の重さを受けて、土台１の中空密閉部４内の圧力が高まる。突起５と土台１は弾力性のある素材で作られているため、作業対象床面に凸部位や凹部位があっても、中空密閉部４内の圧力を均一に維持しようとする作用により、突起部５の伸縮を起こし、接地先端部８の床面接地圧は均等に作用するようになるので、洗いもれのない均一な洗浄を行うことが出来るようになる。
【実施例】
【０００６】図２のように、パット及びブラシ等の研磨部材２を、突起部５の上に取り付け、複数の突起を同じブロック３として中空密閉部４構造の共通土台上に配する。そのブロック３を図１のように複数個合せて１つの洗浄用具を形成するようにする。突起部５及びブロック３の集合土台１全体を伸縮可能とする弾力性のある素材を用いて作る。
【図面の簡単な説明】
【０００７】
【図１】  接地面からの平面図
【図２】  図１の線ＡＢで切った断面図
【符号の説明】
【０００８】    １土台
２研磨部材
３中空密閉プロック
４中空密閉部
５突起部
６洗浄機器装着部
７間仕切り
８接地先端部
【図１】
0003171285.tif 000003
【図２】
0003171285.tif 000004
【手続補正書】
【提出日】平成23年4月28日(2011.4.28)
【手続補正１】
【補正対象書類名】実用新案登録請求の範囲
【補正対象項目名】全文
【補正方法】変更
【補正の内容】
【実用新案登録請求の範囲】
【請求項１】
形状がパット型或るいわ形状がブラシ型の研磨部材を接着する土台が図面の［図２］で示す土台１のように中空密閉部４となっている洗浄用具。
【請求項２】
図面の［図２］で示すように突起部５に形状がパット型或るいわ形状がブラシ型の研磨部材２を接着した構造であるものが、図面の［図１］のように土台１に複数配置されることで構成された洗浄用具。
【手続補正書】
【提出日】平成23年8月3日(2011.8.3)
【手続補正１】
【補正対象書類名】実用新案登録請求の範囲
【補正対象項目名】全文
【補正方法】変更
【補正の内容】
【実用新案登録請求の範囲】
【請求項１】
形状がパット型或いは形状がブラシ型の研磨部材を接着する土台に中空密閉部を有する洗浄用具。
【請求項２】
前記土台は複数の突起部を有しており、各突起部に前記研磨部材を複数配置したことを特徴とする請求項１に記載の洗浄用具。
(57)【要約】      （修正有）【課題】ペンに加えられる圧力が減少し、かつ筆記の際の視野が改善される筆記具を提供する。【解決手段】筆記具がホルダーと、中に配置されかつ棒状の筆記要素を有する筆記ユニットを備える本体と、柄部とを備え、棒状の筆記要素のホルダーがアーチ形態の部分から形成され、この部分が段差を付けて互いから隔てられ、長さおよび水平面に対する傾斜角がそれぞれ異なっており、棒状の筆記要素が傾斜して設置され、筆記具の軸からずらされているという点において達成される。また技術的成果は、筆記具がホルダーと、中に配置されかつ棒状の筆記要素を有する筆記ユニットを備える本体と、柄部とを備え、作用構成要素のホルダーがアーチ形態であり、作用構成要素が傾斜して設置され筆記具の軸からずらされているという点において達成される。【選択図】図１【実用新案登録請求の範囲】
【請求項１】
ホルダーと、カートリッジ筆記要素を有する筆記ユニットを中に含む軸と、尾部とを備える筆記具であって、前記カートリッジ筆記要素の前記ホルダーがアーチ形の部分で構成されており、前記部分が互いから階段式に隔てられ、長さおよび水平面に対する傾斜角がそれぞれ異なっており、前記カートリッジ筆記要素が筆記具の軸に対して傾斜しずらされている筆記具。
【請求項２】
ホルダーと、カートリッジ筆記要素を有する筆記ユニットを中に含む軸と、尾部とを備える筆記具であって、前記カートリッジ筆記要素の前記ホルダーがアーチ形であり、前記カートリッジ筆記要素が筆記具の軸に対して傾斜しずらされている筆記具。
【考案の詳細な説明】
【技術分野】
【０００１】
本実用新案（実施形態）は、文具製品の製作に関する。
【背景技術】
【０００２】
請求される実施形態に最も近い従来技術である従来技術のペンは、カートリッジ筆記要素（ロシア特許第２，０１９，４２０Ｃｌ号、１９９４年９月１５日出願）を備えた筆記ユニットを中に含む軸を備える。
【０００３】
この従来技術のペンは、使用する際にその品質が不十分であるという欠点を有する。
【先行技術文献】
【特許文献】
【０００４】
【特許文献１】ロシア特許第２，０１９，４２０Ｃｌ号
【考案の概要】
【考案が解決しようとする課題】
【０００５】
請求される実用新案の実施形態は、ペンの実用性の範囲を拡げることを目的としている。
【０００６】
本実用新案（実施形態）によって達成される技術的成果は、筆記要素の軸方向のラインを受け台の手の位置により近づけて移動させることによって筆記の操作が恐らく改善され、カートリッジのボールが筆記面に接触する角度が異なる結果としてペンに加えられる圧力が減少し、かつ筆記の際の視野が改善されることである。
【課題を解決するための手段】
【０００７】
第１の実施形態の技術的成果は、筆記具にホルダーと、カートリッジ筆記要素を有する筆記ユニットを中に含む軸と、尾部を与えることによって達成され、カートリッジ筆記要素のホルダーはアーチ形の部分で構成されており、この部分は互いから階段式に隔てられ、長さおよび水平面に対する傾斜角がそれぞれ異なっており、カートリッジ筆記要素は一定の角度で延在し筆記具の軸に対してずらされている。
【０００８】
第２の実施形態の技術的成果も同様に、筆記具にホルダーと、カートリッジ筆記要素を有する筆記ユニットを中に含む軸と、尾部を与えることによって達成され、カートリッジ筆記要素のホルダーはアーチ形であり、カートリッジ筆記要素は一定の角度で延在し筆記具の軸に対してずらされている。
【図面の簡単な説明】
【０００９】
【図１】筆記具の第１の実施形態の側面図である。
【図２】筆記具の第１の実施形態の上面図である。
【図３】筆記具の第１の実施形態の前面図である。
【図４】筆記具の第２の実施形態の側面図である。
【図５】筆記具の第２の実施形態の上面図である。
【図６】筆記具の第２の実施形態の前面図である。
【考案を実施するための形態】
【００１０】
筆記具（第１の実施形態）は、ホルダー１と、カートリッジ筆記要素３を有する筆記ユニット（図示せず）を中に含む軸２と、尾部（図示せず）とを備え、筆記要素３のホルダー１はアーチ形の部分４と５で構成されており、該部分は互いから階段式に隔てられ、長さおよび水平面に対する傾斜角がそれぞれ異なっており、カートリッジ筆記要素３は筆記具の軸に対して傾斜しずらされている。
【００１１】
筆記具（第２の実施形態）は、ホルダー６と、カートリッジ筆記要素８を有する筆記ユニット（図示せず）を中に含む軸７と、尾部（図示せず）とを備え、筆記要素８のホルダー６はアーチ形であり、カートリッジ筆記要素８は一定の角度で延在し筆記具の軸に対してずらされている。
【００１２】
筆記具は以下のように使用される。
【００１３】
書き込む面に接触すると、筆記具はその設計により、筆記要素３が書き手の手にとって使いやすいしっかりと固定された位置にあることから注視すべき筆記に関して最も使いやすい位置を取る。この位置が、手によって加えられる圧力を減少させ、かつ筆記の際の視野をよくするのを助ける。
【産業上の利用可能性】
【００１４】
本実用新案は、文書を書いたり線を引いたりする目的でボールペン、シャープペンシルおよびソフトチップペンで使用することができる。
【符号の説明】
【００１５】
１  ホルダー
２  軸
３  カートリッジ筆記要素
４、５  アーチ形の部分
６  ホルダー
７  軸
８  カートリッジ筆記要素
【図１】
0003171283.tif 000002
【図２】
0003171283.tif 000003
【図３】
0003171283.tif 000004
【図４】
0003171283.tif 000005
【図５】
0003171283.tif 000006
【図６】
0003171283.tif 000007
(57)【要約】      （修正有）【課題】水の飛散からトイレットペーパーを保護する折り畳み式の防滴カバーを提供する。【解決手段】撥水性を有する材質の防滴カバー本体１は、着脱自在テープ、磁石片、若しくはホックを設けた上板ｄと粘着テープ及び着脱自在テープ、磁石片、若しくはホックを設けた背板ａ、着脱自在テープ、磁石片、若しくはホックを設けた右側板ｃ、着脱自在テープ、磁石片、若しくはホックを設けた左側板ｂ、折り目を入れた下方板ｅとの間に折り目が付いており、防滴カバーを開いてトイレットペーパーホルダーに被せて装着する。【選択図】図１
0003171288.tif 000002
【実用新案登録請求の範囲】
【請求項１】
既に、壁面に設置してあるトイレットペーパーホルダーの上方に、折り目のついた撥水性のある材質の防滴カバー本体１が折り畳んだ状態で固定してあり、使用時に着脱自在テープ、磁石片、若しくはホックで止めた箇所を外し、防滴カバー本体１を開いて、トイレットペーパーホルダーに被せて装着することによって、水の飛散からトイレットペーパーを保護する折り畳み式を特徴とした防滴カバー。
【考案の詳細な説明】
【技術分野】
【０００１】  本考案は市販されているトイレットペーパーの防滴に関するものである。
【背景技術】
【０００２】  トイレのある浴室において、入浴したり、シャワー使用する場合、水が飛散するので、その都度トイレットペーパーを外していた。
【考案の開示】
【考案が解決しようとす課題】
【０００３】  トイレットペーパーをホルダーから取り外して、水の掛からない場所に移す手間、さらには水の飛散により、トイレットペーパーのホルダーが濡れるため、雑巾等で拭く手間、その後のトイレットペーパーを取り付ける手間を解決するものである。
【課題を解決するための手段】
【０００４】  本考案は、撥性のある合成樹脂等の材質形成された防滴カバーを折り畳んだ状態でトイレットペーパーのホルダー上部に設置してあり、入浴時に防滴カバーを折り目にそって開き、ホルダーに被せて使用して、入浴後に元の状態に折り畳んでおく。
【考案の効果】
【０００５】  上述の様に使用することによって、入浴の際の煩わしさから解放し、トイレットペーパーを付け忘れることがなく、又、防滴カバーを壁面に設置しておくので、失うことがなく、簡単に使用できて、場所をとることがない。
【実施例】
【０００６】  以下、添付図面に従って一実施例を説明する。トイレットペーパーホルダー上部の壁面に本体１を粘着テープ２で固定して、使用時は３と４、次に５と６を剥がしてｄを離し、ｂとｃを直角に折りホルダーの左右の側板の外に降ろし、ｅをホルダーの下方に持っていき、ホルダーに被せる。入浴後に収納する時は、ｆ部及びｆ′部を折り曲げ５と６を貼り、次にｂ，ｃの順に折り畳んで３と４を貼り合せる。
【図面の簡単な説明】
【０００７】
【図１】防滴カバー本体の展開図である。
【図２】本防滴カバーの実施例の側面図である。
【符号の説明】
【０００８】１、防滴カバー本体
２、粘着テープ
３、４  ５、６、着脱自在テープ
ａ、背板
ｂ、左側板
ｃ、右側板
ｄ、上板
ｅ、下方板
ｆ、ｆ′  折り目部
【図１】
0003171288.tif 000003
【図２】
0003171288.tif 000004
【手続補正書】
【提出日】平成23年8月3日(2011.8.3)
【手続補正１】
【補正対象書類名】実用新案登録請求の範囲
【補正対象項目名】全文
【補正方法】変更
【補正の内容】
【実用新案登録請求の範囲】
【請求項１】
撥水性を有する材質の防滴カバー本体（１）は、着脱自在テープ、磁石片、若しくはホックを設けた上板（ｄ）と粘着テープ及び着脱自在テープ、磁石片、若しくはホックを設けた背板（ａ）、着脱自在テープ、磁石片、若しくはホックを設けた右側板（ｃ）、着脱自在テープ、磁石片、若しくはホックを設けた左側板（ｂ）、折り目を入れた下方板（ｅ）との間に折り目が付いており、防滴カバーを開いてトイレットペーパーホルダーに被せて装着することによて、水の飛散からトイレットペーパーを保護する折り畳み式を特徴とした防滴カバー。
(57)【要約】      （修正有）【課題】直接肌に貼り付けて使用する日焼け止めシートを提供する。【解決手段】紫外線をカットすることができるシートの裏面に、粘着性のある、突起状シールを設ける。シートの周囲、端部は波状曲線となっている。【選択図】図２
0003171286.tif 000002
【実用新案登録請求の範囲】
【請求項１】
日焼け止めのために、紫外線を、カットすることができるシートを、直接肌に貼りつける、日焼け止めシートであって、接着性の、持続を高めるために、突起状にて隙間を設け、通気をよくし、発汗作用による接着性の衰えをおさえる日焼け止めシート。
【請求項２】
シートの、周囲、端部は、曲線加工として、日焼けを、目立たなくする、日焼け止めシート。
【考案の詳細な説明】
【技術分野】
【０００１】  本考案は、紫外線を、カットすることができるシートを、直接その部分に、貼り付けて日焼けを、防止するものである。
【背景技術】
【０００２】  日焼けなどから素肌を守るために、日焼け止めクリームなどを素肌に、直接塗り付けて防止する、しかし、そのクリームを、除去することを、怠ると、肌荒れなどを生じることになる。ならば、紫外線を、カットすることができるシートを、直接貼り付けて日焼けなどから素肌を守る。又、日焼け止めクリームなどを塗り、除去、などの手間を、省くためにも、簡単に日焼け防止するために、考案しました。
【先行技術文献】
【０００３】
【特許文献】
【０００４】
【特許文献１】登録実用新案第３１４７０９９号
【特許文献２】特開２００７−７３７３
【考案の概要】
【考案が解決しようとする課題】
【０００５】  解決しようとする問題点は、日焼け止めクリームなどを素肌に、直接塗ることで、肌荒れなどを生じることになる、又、肌に、出来物などがある場合にも障害となるであろう。
【課題を解決するための手段】
【０００６】  紫外線をカットする事のできるシートを、直接肌に貼り付けて日焼け防止とする。
【考案の効果】  日焼け止めクリームなどを素肌に、直接塗らないので、肌荒れなどを生じることがなくなる。
【図面の簡単な説明】
【０００７】
【図１】使用状態の正面よりの説明図である。
【図２】接着側の説明図である。
【図３】使用状態の断面図である。
【考案を実施するための形態】
【０００８】  日焼け止めクリームを、多量に塗りすぎた場合や、除去することを、怠った場合、肌荒れを生じることになる。紫外線をカットすることができるシートを、直接肌に貼り付けて日焼け防止とする。シートと、肌との隙間には、空気層を設け、発汗作用による接着性の衰えを持続を高めるために、全面接着でなしに、粘着性のある突起部分で、部分接着とすることで、空気の流通を良くした。
図１は、顔に日焼け止めシートを、使用した状態を正面より描いたものである。図２に、記入した詳細は、地肌と日焼け止めシートの、接着側で、粘着性のある突起状物を示す。図３は、粘着性のある突起状の、隙間断面を、描いたものである
【０００９】  表面には、紫外線を、カットすることができるシート、裏面には、肌に接着性のある粘着性の突起状のシールの構成からなる、日焼け止めシートを、貼り付けて日焼け防止する場合、接着性持続を良くするため、その接着部分の、汗及び、ほこり等を除去し、なるべく一度に貼ることをめざす、接着面が、凹凸状にも対応することができるように、又、顔など表情などによる伸縮にも追随可能とするために、シート自体を、薄くて軟質状のものとする、裏面の粘着性のある突起状のシールについては、汗などの対策として、接着力が強いものを使用し、肌にも害することのないものである。
【０００１０】  日焼け止めシートは、元来販売されている直接肌に貼り付ける日焼け止めクリームなどに比べ、肌への障害が、少なく、接着性が持続されている場合は、繰り返し、使用可能とすることができ、除去時、水洗いを必要としないので、安価である。
【符号の説明】
【０００１１】  １、日焼け止めシート
２、粘着性のある突起状シール
３、周囲、端部、曲線加工
【図１】
0003171286.tif 000003
【図２】
0003171286.tif 000004
【図３】
0003171286.tif 000005
【手続補正書】
【提出日】平成23年4月25日(2011.4.25)
【手続補正１】
【補正対象書類名】実用新案登録請求の範囲
【補正対象項目名】全文
【補正方法】変更
【補正の内容】
【実用新案登録請求の範囲】
【請求項１】
所定形状の紫外線をカットすることができるシートの裏面に粘着性のある、突起状シールを貼着になることを特徴とする日焼け止めシート。
【請求項２】
シートの、周囲、端部が、曲線となっていることを特徴とする請求項１記載の日焼け止めシート。
【手続補正書】
【提出日】平成23年8月3日(2011.8.3)
【手続補正１】
【補正対象書類名】実用新案登録請求の範囲
【補正対象項目名】全文
【補正方法】変更
【補正の内容】
【実用新案登録請求の範囲】
【請求項１】
紫外線をカットすることができる所定形状のシートの裏面に粘着性のある、突起状シールを設けたことを特徴とする日焼け止めシート。
【請求項２】
シートの、周囲、端部が、波状曲線となっていることを特徴とする請求項１記載の日焼け止めシート。
(57)【要約】      （修正有）【課題】不要になった電気の消し忘れを無くす省エネルギースイッチを提供する。【解決手段】トイレ等の短期使用場所での電気の消し忘れを、音で知らせる構造とする。省エネルギースイッチ１がオン状態を音声を発生して現在の状態を知らして、不要になった時のオフ状態にする事をうながす。又当人が忘れても、別の人が音を認識してオフにする、よって省エネルギー対処を促進することができる。【選択図】図１
0003171287.tif 000002
【実用新案登録請求の範囲】
【請求項１】
従来の電気スイツチの上に、オン及びオフを行う押しボタンを有した省エネルギースイッチを付ける事を、特徴とする省エネルギースイッチ。
【請求項２】
省エネルギースイッチはケースの内に２本のバネを有して、省エネルギースイッチの上からバネでオンオフの操作を出来る事を、特徴とする請求項１記載の省エネルギスッチ。
【請求項３】
省エネルギースイッチは、オン状態を音声を発生させて、知らせオフの状態になれば音声を発生を取りやめる、構造を特徴とする請求項１記載の省エネルギースイッチ。
【考案の詳細な説明】
【技術分野】
【０００１】本考案は短時間オンの状態で電気を使用する場所での、不要な電気の消し忘れを防止する事を課題とする省エネルギースッチ。
【背景技術】
【０００２】従来のスイツチではオンの状態を人の記憶に依存して、不要な電気の消し忘れる事が多かった。
【考案の関示】
【考案が解決しようとする課題】
【０００３】不要になった電気の消しわすれを、無くす事を課題とした省エネルギースイッチ。
【課題を解決するための手段】
【０００４】この課題を解決するための請求項１の考案は従来のスイツチパネルの上に、省エネルギースイッチを取り付け、２重構造にして音声発生機を内臓した省エネルギースイッチ。
【０００５】この課題を解決するための請求項２の考案は、省エネルギースッチ（１）にオンオフの作動を行うバネを有して、オン用バネ（４）を押すとバネが圧しくされ、オン切り替え接点板（７）を押して音声発生器（８）を作動させ音声が発せられる、又電気が不要になった時はオフ用バネ（４ａ）を押しオフ切り替え接点板（７ａ）を作動して、音声を切る構造にして解決する。
【０００６】この課題を解決するための請求項３の考案は省エネルギースイッチ（１）がオン状態の時、音声を発生して現在の状態を認識できる、不要になった時オフ状態をうながし、当人がわすれても，別の人が音を認識してオフにする、行動をとれる構造にして解決する。
【考案の効果】
【０００７】省エネルギースイッチ（１）がオン状態を音声を発生して現在の状態を知らして、不要になった時のオフ状態する事をうながす、又当人がわすれても、別の人が音を認識してオフにする、よって省エネルギー対処を促進することできる。
【考案を実施するための最良の形態】
【０００８】図１は省エネルギースッチ（１）を従来のスイッチに取り付けた正面図である、従来のスイッチ（２）の上に取り付ける事によって、従来のスイッチ（２）が簡単に省エネルギースッチ（１）になる。【０００９】図２は省エネギースッチ（１）を従来のスイッチ（２）に取り付けた側面図である。【００１０】図３は省エルルギースッチ（１）を従来のスイッチ（２）に取り付けたＡ−Ａ’の断面図である、省エネスッチに内臓されている、オン切り替えバネ（４）を押して下げると、オン切り替え接点板（７）が音声発信機（８）を作動して音声が発信され、又電気が不要になるとオフ切り替えバネ（４ａ）を押してバネを下げオフ切り替え接点板（７ａ）が音声発信機（８）を作動して音声を切る構造である。【００１１】図４は音声発信機ケース（６）の透視図で音声発信機（８）電池（９）切り替えスイッチ（１０）を内臓することを示す透視図である。
【産業上の利用可能性】
【００１２】本考案の係わる省エルギスッチは工業的に量産する事が、可能で有るため産業上の利用可能性を有する。
【図面の簡単な説明】
【００１３】
【図１】は従来のスイッチパネルに、省エネルギースイッチを取り付けた正面図である。
【図２】は従来のスイッチパネルに、省エネルギースイッチを取り付けた側面図である。
【図３】は従来のスイッチパネルに、省エネルギースイッチを取り付けた正面図のＡ−Ａ’断面図である。
【図４】は音声発生機ケースの透視図である。
【符号の説明】
【００１４】１    省エネルギースイッチ。２    従来のスイッチ３    従来のスイッチパネル。４    オン用バネ。４ａ  オフ用バネ。５    バネガイド。６    音声発信機−切り替えスイッチー電池等のケース。７    オン切り替え接点板。７ａ  オフ切り替え接点板。８    音声発信機。９    電池。１０  切り替えスイッチ。
【図１】
0003171287.tif 000003
【図２】
0003171287.tif 000004
【図３】
0003171287.tif 000005
【図４】
0003171287.tif 000006
【手続補正書】
【提出日】平成23年6月2日(2011.6.2)
【手続補正１】
【補正対象書類名】実用新案登録請求の範囲
【補正対象項目名】全文
【補正方法】変更
【補正の内容】
【実用新案登録請求の範囲】
【請求項１】
省エネルギースッチにオンオフの作動を行うボタンを有して、オン用ボタンを押すとケース内のバネが圧しくされ、オン切り替え接点板をかいして音声発生器を作動させ音声が発せられる、又通電が不要になった時は、オフ用バネを押しオフ切り替え接点板をオフ切り替え接点板をかいして、作動して音声を切る構造を特徴とする省エネルギースイッチ。
【請求項２】
電気スイツチパネルの面の上に後付けで取り付けられる事を、特徴とする請求項１記載の省エネルギースイッチ。
【請求項３】
省エネルギースイッチは、通電状態を音声を発生させて知らせて不要になった時の、消し忘れを防止して節電する事を、特徴する請求項１記載の省エネルギースイッチ。
(57)【要約】      （修正有）【課題】雨水に濡れる前と濡れた後で色彩が変化したように見え、見た目に楽しい外観を備える靴を提供する。【解決手段】撥水性合成皮革と、雨水に濡れると色彩が変化する色彩変化部とを備え、色彩変化部は、撥水性合成皮革の表面に塗布され、特定の模様に形成された着色疎水性インク層と、着色疎水性インク層を被覆して形成された親水性インク層とからなる。【選択図】図１
0003171257.tif 000002
【実用新案登録請求の範囲】
【請求項１】
撥水性合成皮革と、
雨水に濡れると色彩が変化する色彩変化部とを備え、
前記色彩変化部は、前記撥水性合成皮革の表面に塗布され、特定の模様に形成された着色疎水性インク層と、
前記着色疎水性インク層を被覆して形成された親水性インク層とからなる
ことを特徴とする靴。
【考案の詳細な説明】
【技術分野】
【０００１】
本考案は靴に関する。
【背景技術】
【０００２】
従来から防水機能を有する靴が考案されている。
【先行技術文献】
【特許文献】
【０００３】
【特許文献１】特開平８−１９６３０５
【考案の概要】
【考案が解決しようとする課題】
【０００４】
しかし、従来の防水機能を有する靴は防水機能を優先させるため、防水機能のない通常の靴に比べて装飾が少なく、外観におけるバリエーションに乏しいという問題があった。
【課題を解決するための手段】
【０００５】
そこで、上記課題を解決するための手段として本願実用新案に係る靴は、撥水性合成皮革と、雨水に濡れると色彩が変化する色彩変化部とを備え、前記色彩変化部は、前記撥水性合成皮革の表面に塗布され、特定の模様に形成された着色疎水性インク層と、前記着色疎水性インク層を被覆して形成された親水性インク層とからなることを特徴とする。
【０００６】
撥水性合成皮革は、靴の表面形状を形成するアッパーを構成するものであり、足の爪先部、甲被部、及び踵部の表面を覆うものであることが好ましい。また、撥水性合成皮革は、靴内部への雨水の染み込みを防止する防水機能を果たす。従って、撥水性合成皮革は、ポリウレタン樹脂、ポリエステル樹脂、アクリル樹脂、塩化ビニル樹脂、天然ゴム、ブタジエンゴム、スチレンブタジエンゴム、又はエチレンプロピレンゴムなどの撥水性樹脂によって構成されていることが好ましい。
【０００７】
着色疎水性インク層は、液体状の着色疎水性インクを撥水性合成皮革表面に塗布されることにより形成されることが好ましく、塗布時に着色疎水性インクを任意の形状に塗布し、乾燥させることにより特定の模様を呈する着色疎水性インク層を形成する。
【０００８】
次に着色疎水性インク層が形成された後、親水性インクを前記着色疎水性インク層が被覆されるように塗布して乾燥させる。これにより、着色疎水性インク層を被覆して形成された親水性インク層が形成される。
【０００９】
親水性インクは、数マイクロメートル程度の微小な樹脂粉体からなるインク組成物であることが好ましく、親水性インクが乾燥することによって前記樹脂粉体同士が三次元網目構造を構成して互いに固着することにより、親水性インク層内部に微細な空隙が多数形成されるものであることが好ましい。
【００１０】
親水性インク層が微細な空隙を多数有していることにより、親水性インク層が乾燥している場合には空隙部分には空気が充填されている。この場合、親水性インク部分と空隙部分との屈折率の差が大きいために親水性インク層の下層にある着色疎水性インク層からの光が散乱し、着色疎水性インク層の色彩を靴の外部から見ることはできない。
【００１１】
一方、親水性インク層が雨水に濡れると前記空隙に水が染み込む。そのため、親水性インク層の親水性インク部分と空隙部分との屈折率の差が小さくなることによって、光の散乱が抑制される。これにより着色疎水性インク層からの光が親水性インク層を透過し、着色疎水性インク層の色彩を靴の外部から透かして見ることができる。
【００１２】
このような構造により、色彩変化部は、雨水に濡れる前と濡れた後で色彩が変化したように見え、本願発明に係る靴は見た目に楽しい外観を備えることができる。
【００１３】
従って、親水性インクは、雨水に濡れた際に着疎水性インク層の色を透けて見え易くするために、白色若しくは白色に近い明色であることが好ましい。
【００１４】
なお、着色疎水性インク層は疎水性を有しているため、靴が雨水に濡れた際にも着色疎水性インク層には雨水が染み込まない。そのため、雨水の染み込みによる着色疎水性インク層の屈折率の変化は生じず、着色疎水性インク層自体の色彩の変化を防止することができる。
【考案の効果】
【００１５】
本願考案によれば、あらかじめ形成された特定の模様部分の色彩が雨に濡れることによって異なった色彩に変化するため、通常の靴にはない見た目に楽しい外観を備えた靴を提供することができる。
【図面の簡単な説明】
【００１６】
【図１】靴１が雨水に濡れる前の状態を示す概略図である。
【図２】色彩変化部３及びその周辺部の構造を示す断面図である。
【図３】靴１が雨水に濡れた後の状態を示す概略図である。
【考案を実施するための形態】
【００１７】
以下、本願考案に係る実施の形態を、図を参照しながら詳しく説明する。
【００１８】
本願考案に係る靴１は、図１に示すように、ポリウレタン樹脂からなる撥水性合成皮革２の表面に色彩変化部３からなる模様が付されている。
【００１９】
色彩変化部３及びその周辺部の断面構造を図２に示す。撥水性合成皮革２は、裏革６の表面に張り合わされて構成されている。そして色彩変化部３は、撥水性合成皮革２の表面上に塗布形成された着色疎水性インク層４及び着色疎水性インク層４を被覆して塗布形成された親水性インク層５とからなる。
【００２０】
靴１が乾燥している場合には、図１に示すように色彩変化部３の最表面に形成された親水性インク層５の色彩によってあらわされる第一の模様Ａを視認することができる。
【００２１】
靴１が雨水に濡れた場合には、図３に示すように親水性インク層５を通して着色疎水性インク層４の色彩が色彩変化部３の色彩として見える。その結果、着色疎水性インク層４の色彩によってあらわされる第二の模様Ｂを視認することができる。
【００２２】
着色疎水性インク層４の色彩は単色で構成しても良いが、複数の色を用いて構成したものであっても好ましい。
【符号の説明】
【００２３】
１  靴
２  撥水性合成皮革
３  色彩変化部
４  着色疎水性インク層
５  親水性インク層
【図１】
0003171257.tif 000003
【図２】
0003171257.tif 000004
【図３】
0003171257.tif 000005
(57)【要約】      （修正有）【課題】液中の微少電位を測定するに当たり、混入した気泡を簡単に除去できる液中微小電位測定用電極装置を提供する。【解決手段】電極装置１は、液室ケース２の内部に配置された電極支持体８に支持された電極７を有し、液室１０が液体で満たされ、気泡がない状態で使用される。電極７の電位はコード線９に接続された微小電位測定器で測定する。液室ケース２の全体あるいは一部をゴム、合成樹脂、弾性金属板等弾性に富んだ材料で形成しておき、フィルタ内の気泡５あるいは液室中の気泡６が検出されたときは、電極装置１を液中でフィルタ４をふた３により保持した状態で上に向け、液室ケース２を手又はポンプで内方に変形させ、液室１０内の液体を気泡とともに液室外に放出する。その後、徐々に力を緩め液室ケース２を復元させ、気泡の無い液を液室１０に満たす。【選択図】図１
0003171271.tif 000002
【実用新案登録請求の範囲】
【請求項１】
液体を収容する容器と、容器内に配置された電位測定用電極と、容器と外部液体間に配置されたフィルタと、容器中の液体を前記フィルタを通して移動させる移動機構を備えたことを特徴とする液中微小電位測定用電極装置。
【請求項２】
前記移動機構として容器の一部を変形、復元させる構造としたことを特徴とする請求項１記載の液中微小電位測定用電極装置。
【請求項３】
前記移動機構を蛇腹式ポンプとしたことを特徴とする請求項１記載の液中微小電位測定用電極装置。
【請求項４】
前記移動機構をピストン式ポンプとしたことを特徴とする請求項１記載の液中微小電位測定用電極装置。
【請求項５】
前記移動機構を電動式ポンプとしたことを特徴とする請求項１記載の液中微小電位測定用電極装置。
【考案の詳細な説明】
【技術分野】
【０００１】
本考案は、液中の微小電位を測定する場合に使用する液中微小電位測定用電極装置に関する。
【背景技術】
【０００２】
水中での２点間の微小電位を測定するために、２個の電極を水中に入れ、両電極間の微小電位を計測するという方法がある。このような水中の微小電位測定には、液を多孔質のガラスなどのフィルタを介して筒状のポリ塩化ビニルやＰＥＥＫ樹脂製の液室に導入する電極装置が使用されている（特許文献１参照）。
【０００３】
電極装置を水中に投入したとき、空気がフィルタ内に混入することがあり、また、水中の溶存気体がフィルタ内や液室内で気泡となることがある。
【０００４】
フィルタ内や液室内の気泡は絶縁物となり微小電位測定の精度の低下をもたらすのみならず、測定不能となる場合がある。
【０００５】
測定中に気泡の存在が明らかになったときは、測定を中断して、電極装置が水中に浸された状態で、フィルタをはずしてフィルタ内や液室内の気泡を除去し、再び気泡が入り込まない状態で入念にフィルタを装着する必要があった。
【先行技術文献】
【特許文献】
【０００６】
【特許文献１】特開２０１０−１９８１５号公報
【考案の概要】
【考案が解決しようとする課題】
【０００７】
フィルタの取り付けは気泡が液室内やフィルタ内に混入しないように水中で行うが、小型化された液中微小電位測定用電極装置では水中でのフィルタの取り付けなどの細かい作業は非常に困難になっている。本考案は、このような事情に鑑みてなされたものであり、混入した気泡を簡易に除去できる液中微小電位測定用電極装置を提供することを目的とする。
【課題を解決するための手段】
【０００８】
本考案は、上記課題を解決するために、液室内の液体を液室外にフィルタを通して放出する液体移動機構を設けたものであり、液体放出と同時に、混入した気泡も液室外に排出することを可能にしたものである。なお、液体移動手段としては容器を変形させたときの容積変化や、蛇腹式ポンプ、ピストン式ポンプや電動式ポンプが利用できる。
【考案の効果】
【０００９】
本考案はフィルタの取り外し、取り付けをしなくても、フィルタ内や液室内の気泡を簡便に除去できる。
【図面の簡単な説明】
【００１０】
【図１】本考案による液中微小電位測定用電極装置の概略構成を示す断面図である。
【図２】本考案の実施例１の作動を説明するための図である。
【図３】本考案の実施例２を説明するための図である。
【考案を実施するための形態】
【００１１】
本考案は、フィルタを取り外すことなく、液室内の液体を噴出させることにより混入した気泡を液体とともに液室外およびフィルタ外に排出させる機構を備えたことを特徴とするものである。以下にその実施例を挙げて説明する。
【実施例１】
【００１２】
図１に示すとおり電極装置１は、液室ケース２の内部に配置された電極支持体８に支持された電極７を有し、液室１０が液体で満たされ、気泡がない状態で使用される。電極７の電位はコード線９に接続された微小電位測定器（図示していない）で測定する。
【００１３】
液室ケース２の全体あるいは一部をゴム、合成樹脂、弾性金属板等弾性に富んだ材料で形成しておき、フィルタ内の気泡５あるいは液室中の気泡６が検出されたときは、電極装置１を液中でフィルタ４をふた３により保持した状態で上に向け、液室ケース２を手でたとえば図２のように内方に変形させ、液室１０内の液体を気泡とともに液室外に放出する。
【００１４】
その後、徐々に力を緩め液室ケース２を復元させ、気泡の無い液を液室１０に満たす。
【００１５】
上記の動作１回で完全に気泡が取り除けない場合は上記動作を繰り返えせば、フィルタ４を取り外すことなく、簡単且つ完全に気泡を除去することができる。
【実施例２】
【００１６】
図３は電極装置１に蛇腹方式のポンプ１１を連結した実施例を示す図である。液室ケースがポリ塩化ビニルやＰＥＥＫ樹脂など変形しにくい材料の場合は、図３に示すとおり、液室１０の測面に蛇腹式あるいはピストン式のポンプ１１を連結具１２を介して取り付けておき、気泡が検出されたときは、電極装置１を液中でフィルタ４を上方に向けて保持した状態で前記ポンプ１１を作動し、液室１０内の液体を気泡とともに液室外に放出する。
【００１７】
その後、ゆっくりポンプ１１を元の状態に戻し、気泡の無い液を液室１０に充満させる。
【００１８】
上記の動作１回で完全に気泡が取り除けない場合は上記動作を繰り返えせば、完全に気泡を除去することができる。
【実施例３】
【００１９】
上記実施例２のポンプの代わりに、電動ポンプを用い、気泡が完全に除去されるまでポンプを作動させることにすれば、より簡便に目的を達成することが可能となる。
なお図１から図３において同一符号によって示されたものは同一の機能を有する。
【産業上の利用可能性】
【００２０】
本考案は、汎用技術と部品の構成で実施でき、簡便に目的を達成でき、産業上利用可能なものである。
【符号の説明】
【００２１】
１  電極装置
２  液室ケース
３  ふた
４  フィルタ
５  フィルタ内の気泡
６  液室中の気泡
７  電極
８  電極支持体
９  コード線
１０  液室
１１  ポンプ
１２  連結具
【図１】
0003171271.tif 000003
【図２】
0003171271.tif 000004
【図３】
0003171271.tif 000005
(57)【要約】      （修正有）【課題】ダクト蓋の緩衝材に、十分なガタツキ防止効果を保持しつつ、耐久性を有するダクト蓋の緩衝材を提供する。【解決手段】ダクト蓋の緩衝材を、上面が平面、下面が下に凸の曲面の逆蒲鉾形状をした細長い板状の弾性体で形成する。【選択図】図１
0003171277.tif 000002
【実用新案登録請求の範囲】
【請求項１】
弾性体でなり、上面が平面、下面が下に凸の曲面の逆蒲鉾形状をした細長い板状であることを特徴とするダクト蓋の緩衝材。
【請求項２】
前記弾性体の硬さが、ＪＩＳ−Ｋ６２５３デュロメータ硬度Ａにて５０〜７０である請求項１に記載の緩衝材。
【請求項３】
前記弾性体が、スチレン・エチレン・ブチレン・スチレン共重合体１０〜２０重量部、スチレンイソプレンスチレンブロック共重合体６〜１６重量部、及び水酸化マグネシウム３３〜４３重量部を含むものである請求項１又は２に記載の緩衝材。
【請求項４】
前記上面に保護紙付きの両面テープを貼付しておき、保護紙を剥がすことで両面テープの接着面が露出し、ダクト蓋に貼付できるようになる請求項１〜３のいずれかに記載の緩衝材。
【考案の詳細な説明】
【技術分野】
【０００１】
本考案は、ケーブルトラフに被せるダクト蓋の裏面に貼付してダクト蓋のガタツキを防止するダクト蓋の緩衝材に関する。
【背景技術】
【０００２】
下記特許文献１には、溝蓋のガタツキを防止するため、溝構造体の蓋受面と溝蓋の間に弾性体でなる緩衝材を介在させる技術が開示されている。緩衝材の材質は、発泡ポリエチレン樹脂、発泡塩ビ樹脂、発泡ゴムなどの柔軟性を備えるものであり、緩衝材の形状は均一の厚さを有する板状であった。
【先行技術文献】
【特許文献】
【０００３】
【特許文献１】第３０１８６１２号登録実用新案公報
【考案の概要】
【考案が解決しようとする課題】
【０００４】
従来の緩衝材は、充分なガタツキ防止効果を得るためには柔軟性に富んだ材質を用いなければならず、そのため耐久性が非常に悪かった。
本考案は、十分なガタツキ防止効果と耐久性を有するダクト蓋の緩衝材を開発することを課題とするものである。
【課題を解決するための手段】
【０００５】
本考案は、弾性体でなり、上面が平面、下面が下に凸の曲面の逆蒲鉾形状をした細長い板状であることを特徴とするダクト蓋の緩衝材である。
【０００６】
本考案の緩衝材は、逆蒲鉾状であるために、従来よりも硬く耐久性に優れた材質を用いても、充分なガタツキ防止効果が発揮される。これにより、ガタツキ防止効果と耐久性の双方を兼ね備えた緩衝材を得ることができる。
【０００７】
本考案緩衝材の材質である弾性体の硬さは、ＪＩＳ−Ｋ６２５３デュロメータ硬度Ａにて５０〜７０が適当である。また、緩衝材の厚さは、ダクト蓋の重さにもよるが、通常は４〜１０ｍｍ程度が適当である。
【０００８】
本考案緩衝材の材質である弾性体は、スチレン・エチレン・ブチレン・スチレン共重合体（ＳＥＢＳ）１０〜２０重量部、スチレンイソプレンスチレンブロック共重合体（ＳＩＳ）６〜１６重量部、及び水酸化マグネシウム３３〜４３重量部を含むものにすることができる。
【０００９】
ＳＥＢＳは耐候性及び弾性に優れ、さらに寒冷地での低温特性にも優れるため、基材として好適である。ＳＩＳは難燃剤によって硬くなる性質があるので、ＳＥＢＳでは足りない硬さを補う効果がある。水酸化マグネシウムは難燃剤で、難燃性が付加されると共に、安価な増量剤でもある。ケーブルトラフでは難燃性は絶対条件となる。さらに難燃性を強化するため、臭素系難燃剤１．５〜２．５重量部、三酸化アンチモン０．４〜０．９重量部を加えることができる。臭素系難燃剤と三酸化アンチモンの重量比はほぼ３：１にすることが望ましい。
【００１０】
さらに、成形性を向上させるためポリエチレン樹脂を５〜１０重量部、製品離型性を向上させるための離型剤（ステアリン酸亜鉛など）０．２〜０．３重量部を加えることができる。また、着色剤（顔料）や酸化防止剤も適宜加えることができる。
【００１１】
本考案緩衝材の上面に保護紙付きの両面テープを貼付しておき、保護紙を剥がすことで両面テープの接着面が露出し、ダクト蓋に貼付できるようにすることができる。保護紙を剥がすことで直ぐにダクト蓋に貼付できるため、取り扱いがきわめて便利である。
【考案の効果】
【００１２】
本考案緩衝材は、十分なガタツキ防止効果と耐久性、低温特性を兼ね備えたものにすることができる。また、難燃性を付与できるので、ダクト蓋の緩衝材としてきわめて好適である。
【図面の簡単な説明】
【００１３】
【図１】実施例の緩衝材１の正面図である。
【図２】緩衝材１の底面図である。
【図３】緩衝材１の側面図である。
【図４】ダクト蓋２の底面図である。
【図５】ダクト蓋２の施工例の断面図である。
【考案を実施するための形態】
【００１４】
以下、図面に基づいて本考案を詳細に説明する。
図１〜３に示す緩衝材１は、上面１ａが平面、下面１ｂが下に凸の曲面で、逆蒲鉾形状をした細長い板状に成形されている。緩衝材１の上面１ａには、保護紙付きの両面テープ（図示せず）が貼付され、保護紙を剥がすことで両面テープの接着面が露出し、ダクト蓋に貼付できるようになっている。
【００１５】
緩衝材１の材質は、表１の成分を含有する弾性体で、デュロメータ硬度Ａは６０、難燃性（ＵＬ規格）はＶ−２レベルである。
【００１６】
【表１】
0003171277.tif 000003
【００１７】
緩衝材１は、例えば図４に示すように、ダクト蓋２の裏面に貼付する。図５は、ダクト蓋２をケーブルトラフ３の蓋受面３ａの上に載置した状態である。蓋受面３ａとダクト蓋２の裏面２ａの間に緩衝材１が介在するので、ダクト蓋のガタツキが防止される。
【符号の説明】
【００１８】
１  緩衝材
１ａ  上面
１ｂ  下面
２  ダクト蓋
３  ケーブルトラフ
【図１】
0003171277.tif 000004
【図２】
0003171277.tif 000005
【図３】
0003171277.tif 000006
【図４】
0003171277.tif 000007
【図５】
0003171277.tif 000008
(57)【要約】      （修正有）【課題】使いづらい左手の入力動作がスムーズになり、キー入力のスピードアップが可能となるパソコンキーボードを提供する。【解決手段】アルファベットキーの一番左側の縦第一列のＱ・Ａ・Ｚのキーに対し、その右の縦第二列のＷ・Ｓ・Ｘのキーを上方に配置し、さらにその右の縦第三列のＥ・Ｄ・Ｃのキーも同様に縦第二列の各キーに対し上方に配置する。ただし、縦第四列のＲ・Ｆ・Ｖのキーより右のキーについては、縦第三列のキーと同じレベルの横一列の配置とする。パソコンのキーボードで使用頻度の高いアルファベットキーの一部を左手の指の形状に合わせて配置することにより、スムーズな入力と入力のスピードアップを実現する。【選択図】図２
0003171300.tif 000002
【実用新案登録請求の範囲】
【請求項１】
本考案はパソコンキーボードのキーの内、アルファベットキーの配置に関するものである。そしてそのアルファベットキーの一番左側にある縦第一列のＱ・Ａ・Ｚのキーに対し、その右にある縦第二列のＷ・Ｓ・Ｘのキーを上方にずらして配置し、さらにその右にある縦第三列のＥ・Ｄ・Ｃのキーも同様に縦第二列に対して上方にずらして配置する。ただし、縦第四列より右のキーについては縦第三列のキーの位置と同じレベルで横一列とする。
【請求項２】
請求項１で、上方にずらして配置するとした第二・第三縦列のキーそれぞれの左縦列のキーに対する上げ幅はパソコンキーボードの規格に応じて２ｍｍ〜７ｍｍの範囲とする。
【考案の詳細な説明】
【技術分野】
【０００１】  本考案は、パソコンキーボードのアルファベットキーの配置を変更することによりキー操作を容易にし、文字のスムーズな入力と入力のスピードアップを図ることを目的とした新型パソコンキーボードである。
【背景技術】
【０００２】  現在使用されているパソコンキーボードでは、初心者や扱いに不慣れな者にとって特に左手を使ったキーのスムーズな操作や文字のスピード入力が容易ではない。
【先行技術文献】
【０００３】
【特許文献１】特許公開２００５−２３５１５８公報
【特許文献２】登録実用新案第３０３８４２５号公報
【考案の概要】
【考案が解決しようとする課題】
【０００４】  パソコンキーボードで文字を入力する際、使用頻度の高いキーはアルファベッド及び数字である。数字入力についてはテンキーを使用することが多いため通常右手のみを使うが、アルファベットキーを使って早く入力するためには両手を用いるのが一般的である。しかし、アルファベットキー入力に使う小指・薬指・中指・人差し指はそれぞれ長さが異なるのに、キーは横一列に並んでいるため初心者や不慣れな者にとって両手を使ったスピード入力は容易ではない。
【課題を解決るための手段】
【０００５】  パソコンキーボードで使用頻度の高いアルファベットキーの内、一番左側の縦第一列のＱ・Ａ・Ｅのキーに対しその右の縦第二列のＷ・Ｓ・Ｘのキーを上方へずらして配置し、さらにその右の縦第三列のＥ、Ｄ・Ｃのキーも同様に縦第二列の各キーに対し上方にずらして配置する。ただし、その右の縦第四列のＲ・Ｆ・Ｖより右のキーについては、縦第三列のキーと同じレベルで横一列とする。
【考案の効果】
【０００６】  アルファベットキーの位置の一部が左手小指・薬指・中指の形状に合わせて右に行くに従って上方にずれて配置されているため、使いづらい左手の入力動作がスムーズになり、キー入力のスピードアップが可能となる。
【図面の簡単な説明】
【０００７】
【図１】従来の一般的なパソコンキーボードのアルファベットキー配置の平面図
【図２】新しく考案したパソコンキーボードのアルファベットキー配置の平面図
【考案を実施するための形態】
【０００８】      以下本考案の実施の形態について説明する。
（イ）図１は従来の一般的なパソコンキーボードのアルファベットキー配置の平面図である。ここではアルファベットキーの一番左側のＱ・Ａ・Ｚのキーを縦第一列、その右のＷ・Ｓ・Ｘのキーを縦第二列、さらに右のＥ・Ｄ・Ｃのキーを縦第三列、その右のＲ・Ｆ・Ｖのキーを縦第四列と呼ぶこととする。
（ロ）本考案では図２のように、縦第一列のキーに対し縦第二列のキーを上方に配置し、同様に縦第二列のキー対し縦第三列のキーも上方に配置する。縦第四列より右のキーについては縦第三列のキーと同じレベルで横一列に配置する。
（ハ）なお、各キーを上方に配置する際の上げ幅は、キーボードの規格の違いに応じて２ｍｍ〜７ｍｍとする。
【図１】
0003171300.tif 000003
【図２】
0003171300.tif 000004
【手続補正書】
【提出日】平成23年8月7日(2011.8.7)
【手続補正２】
【補正対象書類名】実用新案登録請求の範囲
【補正対象項目名】全文
【補正方法】変更
【補正の内容】
【実用新案登録請求の範囲】
【請求項１】
パソコンキーボードにおいて、アルファベットキーの一番左側にある縦第一列のＱ・Ａ・Ｚのキーに対し、その右にある縦第二列のＷ・Ｓ・Ｘのキーを上方にずらして配置し、さらにその右にある縦第三列のＥ・Ｄ・Ｃのキーも同様に上方にずらして配置し，縦第四列より右のキーについては、縦第三列のキーと同じレベルで横一列に配置したパソコンキーボード。
【請求項２】
請求項１のパソコンキーボードにおいて、アルファベットキーの一番左側にある縦一列のキーに対して上方に配置するとした縦第二列・第三列のキーのそれぞれの左縦列のキーに対する上げ幅を、規格に応じて２ｍｍ〜７ｍｍとしたパソコンキーボード。